(57)【特許請求の範囲】
【請求項１】
スペーサの外周面に設けたらせん状の複数の各溝内にテープ状光ファイバ心線を積層して収容するテープ状光ファイバ心線集合装置であって、該スペーサを軸心周りに回転させながら直線状に進行させる装置と、複数のテープ状光ファイバ心線を繰り出す装置と、繰り出された複数のテープ状光ファイバ心線を前記スペーサのらせん状の溝に案内するガイドダイスと、該ガイドダイスの手前に配置された配列保持用ガイドを備え、該配列保持用ガイドは矩形断面の通過孔を有し該通過孔に複数のテープ状光ファイバ心線を積層して通過させることによって該テープ状光ファイバ心線の積層状態を保持して積層体とし、ガイドダイスで該積層体を案内して前記スペーサの各溝に挿入するテープ状光ファイバ心線集合装置において、前記配列保持用ガイドは、その通過孔を形成する壁面の少なくとも１つの壁面に壁面孔を設けたことを特徴とするテープ状光ファイバ心線集合装置。
【請求項２】
前記配列保持用ガイドは、中間に仕切り板を設けるか、２つの配列保持用ガイドを重ねるかして、テープ状光ファイバ心線が通過する通過孔を２つに分けたものとして構成し、それぞれの通過孔に複数のテープ状光ファイバ心線を通過させてそれぞれ積層体とし、その２つの積層体を重ねて前記スペーサの同一溝に挿入することを特徴とする請求項１記載のテープ状光ファイバ心線集合装置。
【請求項３】
前記配列保持用ガイドの通過孔の高さはテープ状光ファイバ心線の積層体の高さの１．１〜１．９倍、通過孔の幅はテープ状光ファイバ心線の積層体の幅の１．０５〜１．２０倍であり、配列保持用ガイドの長さは１０ｍｍ以上であることを特徴とする請求項１又は請求項２に記載のテープ状光ファイバ心線集合装置。
【発明の詳細な説明】
【０００１】
【発明の属する技術分野】
本発明は、スペーサの外周面に設けたらせん状の複数の各溝内に複数のテープ状光ファイバ心線を積層して収容するテープ状光ファイバ心線集合装置に関する。
【０００２】
【従来の技術】
光ファイバケーブルにおいては、光ファイバを保護するために鋼線、鋼撚り線、ＦＲＰ等の抗張力体を中心にして外周面にらせん状の溝を有するポリエチレン等のプラスチックからなる収納体を押出し成形したスペーサと称する部材が用いられる。
【０００３】
図５は、そのスペーサの一例を示す斜視図であって、２０はスペーサ、２１は鋼線、鋼撚り線、ＦＲＰ等からなる抗張力体、２２はポリエチレン等のプラスチックからなる収容体、２３は収容体の外周面にらせん状に形成された溝である。なお、溝のらせん方向は図５と逆の場合もある。この溝２３には、ガラスファイバに適当な被覆を施した光ファイバ心線、またガラスファイバに被覆を施したものを複数本平行に配置して更に一括被覆を施したテープ状光ファイバ心線等各種の光ファイバが収められる。
【０００４】
図６（Ａ）は、そのような光ファイバケーブルの一例を示す横断面図であって、図６（Ｂ）は、テープ状光ファイバ心線の横断面図である。ガラスファイバに紫外線硬化型樹脂等の被覆を施した光ファイバ心線３３ａを複数本平行に並べて紫外線硬化型樹脂等からなる一括被覆３３ｂを施して、テープ状光ファイバ心線３３とする。
【０００５】
次いで、鋼線、鋼撚り線、ＦＲＰ等からなる抗張力体３１の周囲に、らせん状の複数の溝３２ａを有するプラスチックからなる収容体３２を形成してスペーサとし、そのスペーサの各溝３２ａ内に、複数のテープ状光ファイバ心線３３を積層して収容して上巻き３４を施し、その外側にプラスチック等からなる外部被覆３５を設けて光ファイバケーブルとする。
【０００６】
この種の光ファイバケーブルを製造するには、スペーサのらせん状の複数の各溝内にテープ状光ファイバ心線を積層して収容するという集合工程が必要である。図７（Ａ）はそのような集合工程に使う集合装置の一例を示す正面図である。スペーサ４１をリール３８から繰り出し、張力付与装置３９によってブレーキを掛けながら引取り装置４５によって右方に直線状に進行させ、リール４６に巻き取る。スペーサ４１の進行と合わせて、少なくとも張力付与装置３９、引取り装置４５を軸周りにスペーサ４１のらせん状の溝の方向に合わせて、らせん状の溝の周期と同じ周期で回転させることによって、張力付与装置３９と引取り装置４５との間では、大地の一定箇所を基準にすれば溝は見掛け上同じ位置になる。
【０００７】
そのようにしておいて、複数のリール３７からそれぞれテープ状光ファイバ心線４２を繰り出し、ガイドダイス４０に形成した溝又は孔にそれぞれ複数のテープ状光ファイバ心線４２を通して、スペーサ４１の各溝内に導く。この時、スペーサ４１の溝は大地に対して見掛け上同じ位置にあるので、ガイドダイス４０を固定しておいても、テープ状光ファイバ心線４２はスペーサ４１の溝に導くことが出来る。なお、４３は押さえダイス、４４はテープ状光ファイバ心線が溝に収容されたスペーサを示す。また必要に応じて、押さえダイス４３の前後でテープ状光ファイバ心線を収容したスペーサ４４の上に粗巻き、テープ巻き等を施すこともある。
【０００８】
また、図７（Ｂ）はスペーサ４１の溝又は孔に複数のテープ状光ファイバ心線４２が案内されたガイドダイス４０の付近を拡大した正面図である。テープ状光ファイバ心線４２はガイドダイス４０に形成された溝又は孔に複数枚ずつ通され、スペーサ４１の各溝内に導かれる。
【０００９】
また、ガイドダイス４０には中心軸にそって断面円形の孔が設けられており、その孔をスペーサ４１が通過する。また、ガイドダイスの孔の部分に内側に向けて突起を固定して設け、その突起をスペーサ４１の一つの溝に挿入することによって、ガイドダイス４０を通過するスペーサ４１の溝の大地に対する位置をより確実に一定の位置に保つことが出来る。
【００１０】
またガイドダイスを使用せずに、テープ状光ファイバ心線をスペーサの溝に導く方法もある。図８（Ａ）（Ｂ）はそのような例を示す斜視図と正面図であって、複数枚のテープ状光ファイバ心線４２をスプリング状のスパイラルセパレータ４７のリングによって１枚ずつセパレートしながらスペーサ４１の溝４１ａ内に導き、溝４１ａ内にて積層させるものである。
【００１１】
【発明が解決しようとする課題】
以上説明した製造方法の内、ガイドダイスを使ってテープ状光ファイバ心線をスペーサの溝内に導く方法では、スペーサの一つの溝に積層されるテープ状光ファイバ心線はガイドダイスの一つの溝に挿通されるが、個々のテープ状光ファイバ心線の相互位置関係が固定されていないため、ガイドダイス内では積層状態が確定せずテープ状光ファイバ心線はガイドダイスの溝内で傾いたり、著しい場合は積層の順序が入れ替わったりすることがある。そのため、配列の崩れが起きやすい。
【００１２】
また、スパイラルセパレータを使った方法でも、個々のテープ状光ファイバ心線の相互位置関係が固定されていないため、積層状態が確定しない状態で、スパイラルセパレータのそれぞれのリングにテープ状光ファイバ心線が挿入される。従って、各テープ状光ファイバ心線がスパイラルセパレータに入る状態が均一でないため、スパイラルセパレータのリングによってしごかれ、テープ状光ファイバ心線が外傷を受けるという問題がある。
本発明は、このような不具合の無いテープ状光ファイバ心線の集合装置を提供するものである。
【００１３】
【課題を解決するための手段】
本発明のテープ状光ファイバ心線集合装置は、スペーサの外周面に設けたらせん状の複数の各溝内にテープ状光ファイバ心線を積層して収容するテープ状光ファイバ心線集合装置であって、該スペーサを軸心周りに回転させながら直線状に進行させる装置と、複数のテープ状光ファイバ心線を繰り出す装置と、繰り出された複数のテープ状光ファイバ心線を前記スペーサのらせん状の溝に案内するガイドダイスと、該ガイドダイスの手前に配置された配列保持用ガイドを備え、該配列保持用ガイドは矩形断面の通過孔を有し該通過孔に複数のテープ状光ファイバ心線を積層して通過させることによって該テープ状光ファイバ心線の積層状態を保持して積層体とし、ガイドダイスで該積層体を案内して前記スペーサの各溝に挿入するテープ状光ファイバ心線集合装置において、前記配列保持用ガイドは、その通過孔を形成する壁面の少なくとも１つの壁面に壁面孔を設けたことを特徴とするテープ状光ファイバ心線集合装置である。
【００１４】
また、配列保持用ガイドの通過孔の高さをテープ状光ファイバ心線の積層体の高さの１．１〜１．９倍、通過孔の幅をテープ状光ファイバ心線の積層体の幅の１．０５〜１．２０倍とし、配列保持用ガイドの長さを１０ｍｍ以上とすれば、テープ状光ファイバ心線が通過孔の中で回転しないので配列が乱れることもなく、また、積層体の配列を維持した状態でガイドダイスを通してスペーサの溝内に積層体を導くことが出来る。
【００１５】
配列保持用ガイドを四弗化樹脂で構成すれば、テープ状光ファイバ心線と配列保持ガイドの通過孔壁面との摩擦も少なく、テープ状光ファイバ心線を傷つけることも無い。
【００１６】
更にガイドダイスとテープ状光ファイバ心線のスペーサの溝への挿入点との間に、積層されたテープ状光ファイバ心線の各テープ状光ファイバ心線間に一時隙間を開けるスパイラルセパレータを設置すれば、積層体中の隣接した各テープ状光ファイバ心線間の摩擦が少なくなるので、各テープ状光ファイバ心線のスペーサの溝内への挿入速度を溝底側に対して溝上側を早くすることが可能で、それによってスペーサの溝内における各テープ状光ファイバ心線の張力を所望の値に近づけることが出来る。
【００１７】
配列保持用ガイドの手前に、タルク等の滑剤を塗布する滑剤塗布装置を設置してテープ状光ファイバ心線の表面にタルク等の滑剤を塗布した後、複数のテープ状光ファイバ心線を積層して配列保持用ガイドの通過孔に挿通させるようにすれば、更に積層体での各テープ状光ファイバ心線間の摩擦を小さくすることが出来、各テープ状光ファイバ心線間の滑りを良くすることが出来る。この配列保持ガイドの壁面に壁面孔を設けて、テープ状光ファイバ心線に塗布したタルク等の滑剤をその壁面孔から掃出すれば、配列保持ガイドの通過孔内に滑剤が溜まるのを少なくすることが出来る。
【００１８】
【発明の実施の形態】
図１（Ａ）は、本発明のテープ状光ファイバ心線集合装置の実施形態を示す正面図である。図１（Ａ）において、複数のテープ状光ファイバ心線１はそれぞれリール２から繰り出されて、滑剤塗布装置３にてテープ状光ファイバ心線１の表面にタルク等の滑剤が塗布される。なお、タルク等の滑剤塗布が省略される場合もある。その後テープ状光ファイバ心線１は配列保持用ガイド４を通ってガイドダイス５に至る。
【００１９】
一方、スペーサ６は供給リール７から繰り出されて、軸心周りにスペーサ６のらせん状の溝と同じ方向、同じ周期で回転しながら直線状に進行する。この進行、回転を行わせる装置としては、図１（Ａ）に例では張力付与装置８、引取り装置１１を使っているが、スペーサを直線状にかつ軸心周りにスペーサの溝の回転方向、回転周期と同期して回転させることが出来る装置であれば、図１（Ａ）の例に限るものではない。なお、張力付与装置８及び引取り装置１１は、それぞれ供給リール７又は巻取りリール１２と共に矢印の方向に軸心周りに回転している。
【００２０】
スペーサ６は軸心周りにらせん溝と同一方向に同一周期で回転しながら、張力付与装置８と引取り装置１１との間で張力が加えられて直線状になって張力付与装置８側から引取り装置１１側に向かって進行しているため、この間で大地からスペーサを見ると、スペーサ１の溝は常に同じ位置で止まって見える。従って、ガイドダイス５を大地に固定しておき、テープ状光ファイバ心線１をガイドダイス５に形成した孔又は溝に通してスペーサ６の溝上に導けば、スペーサ６の進行によって溝内にテープ状光ファイバ心線１が挿入され収容される。
【００２１】
この時、複数枚のテープ状光ファイバ心線１をガイドダイスの手前に配置した配列保持用ガイド４に形成した矩形断面の通過孔に積層して通すことによって、ガイドダイスに入る前に積層状態を確定させ積層体とすることが出来、次いでその積層体をガイドダイス５の通過孔又は溝を通してスペーサ６の溝上に導くことによって、一つの溝に複数枚のテープ状光ファイバ心線１の積層体を一括して収容することが出来る。
【００２２】
また、ガイドダイス５としては、図７に示す従来技術において使用していたガイドダイス４０も使用することが出来る。また、ガイドダイスの溝の開口を無くし孔を設けた目板状のものもガイドダイスとして使用が可能である。更に、ガイドダイスの中心の孔の内面に１又は複数の突起を設け、その突起をスペーサの溝の挿入するようにしておけば、スペーサの軸周りの回転をより正確なものとすることが出来る。
【００２３】
なお、スペーサ６がガイドダイス５を出たところで繊維ロープ等の押さえ装置９又は押さえダイスでスペーサ６の周囲を抑えてテープ状光ファイバ心線１をスペーサの溝内へ押さえ込む。その前後で必要に応じて図示しない装置で粗巻き、上巻き等を施すこともある。また、集合体１０となったものを、引取り装置１１で引取りながら巻取りリール１２に巻き取る。
【００２４】
次に、ここで使用される配列保持用ガイドについて説明する。図１（Ｂ）は配列保持用ガイドの斜視図、図１（Ｃ）は配列保持用ガイドにテープ状光ファイバ心線を通したところの断面図である。配列保持用ガイド４は、四弗化樹脂、ポリエチレン、金属等からなる矩形断面の通過孔を有する筒状体のものであって、図１（Ｂ）の例ではコの字型の溝付き部材４ａと、蓋部材４ｂからなり、矩形断面の通過孔４ｃが形成されている。
【００２５】
また、図１（Ｃ）に示すように通過孔４ｃの大きさは、テープ状光ファイバ心線の積層体の大きさよりもわずかに大きい大きさに形成される。即ち、通過孔の高さＤは積層体の高さＴの１．１〜１．９倍に、通過孔の幅Ｅは積層体の幅Ｗの１．０５〜１．２０倍に形成することで、テープ状光ファイバ心線が通過孔の中で横になったり、上下が入れ替わったりしない大きさとなっている。また、配列保持用ガイドの長さＬは３０〜５０ｍｍ程度のものが使われるが、積層体の積層状態を確定させて維持するために１０ｍｍ以上であれば使用することが可能である。
【００２６】
また、テープ状光ファイバ心線は配列保持用ガイドの通過孔を通過した後ガイドダイスによってスペーサの溝内に収容されるが、スペーサの溝内では積層された外側のテープ状光ファイバ心線と内側のテープ状光ファイバ心線とではらせん半径が異なり、そのため一つのスペーサの溝内のテープ状光ファイバ心線のそれぞれの長さはわずかずつ異なる。そのゆえ、配列保持用ガイド４の通過孔の中を進行するテープ状光ファイバ心線１の速度はそれぞれわずかずつ異なるので、配列保持用ガイドの中においても積層されたテープ状光ファイバ心線１の相互間は滑り易くする必要がある。
【００２７】
そのため、配列保持用ガイドの通過孔の高さＤは積層体の高さＴに対して１．１倍以上にする必要がある。また、配列保持用ガイド４の材質を四弗化樹脂にすれば、テープ状光ファイバ心線１と配列保持用ガイド４の通過孔の壁面とも摩擦が少なくなるので効果がある。
【００２８】
更に、積層体の各テープ状光ファイバ心線相互間の滑りを良くしようとする場合は、図１（Ａ）に示すようにテープ状光ファイバ心線１をリール２から繰り出した後、タルク等の滑剤を滑剤塗布装置３を通してテープ状光ファイバ心線１の表面に塗布することも効果がある。
【００２９】
また、図１（Ｂ）（Ｃ）の配列保持用ガイド４は、溝付き部材４ａと蓋部材４ｂとで構成されているが、その理由は挿通するテープ状光ファイバ心線を最初に通し易くするためである。溝付き部材４ａと蓋部材４ｂとを一体的に形成したものであっても積層体の配列保持の機能は変わらないので、一体的に作成したものも本発明において使用することが出来る。
【００３０】
また、上記説明では、配列保持用ガイド４はガイドダイス５と別体として構成した例を示したが、一体的に製作することも可能である。但し、ガイドダイスはスペーサの溝数、外径に応じて製作され、配列保持用ガイドは積層体の大きさによって製作されるので、一体で製作すると一体装置の数が多くなる。従って、配列保持用ガイドはガイドダイスと別体で製作する方が製作コストも安価になる。
【００３１】
また、ガイドダイスは鋼、鉄等で製作され、配列保持用ガイドは四弗化樹脂、ポリエチレン等で製作されることが多いので、材質面からもガイドダイスと配列保持用ガイドとは別体が望ましい。更に、ガイドダイス５と配列保持用ガイド４を別体で作っておけば、テープ状光ファイバ心線１の横方向の振動に応じて配列保持用ガイド４も動くので、テープ状光ファイバ心線が多少振動しても配列保持用ガイドによる積層保持は十分に可能であり、またテープ状光ファイバ心線を傷つけることも少ない。
【００３２】
図２（Ａ）（Ｂ）に配列保持用ガイドの付近の集合装置の正面図を示す。図２（Ａ）は、複数のテープ状光ファイバ心線１を配列保持用ガイド４にて積層保持し、ガイドダイス５を通ってスペーサ６の溝内に積層体として収容し、押さえダイス１３で押さえて集合体１０とする例である。
【００３３】
また図２（Ｂ）は、複数のテープ状光ファイバ心線１を配列保持用ガイド４にて積層保持し、ガイドダイス５を通った後スパイラルセパレータ１４にて各テープ状光ファイバ心線相互間に一時的に隙間を開けて相互に滑り易くし、各テープ状光ファイバ心線を最適な張力でスペーサ６の溝内に積層して収容し、押さえダイス１３で押さえて集合体１０とする例である。
【００３４】
この場合、一度積層された積層体の各テープ状光ファイバ心線相互間を少し広げるだけで、スパイラルセパレータ１３のリングへの入射角も小さいので、テープ状光ファイバ心線がしごかれたり傷つけられたりすることは無い。また、積層体のテープ状光ファイバ心線相互間を一時隙間を開けるだけで直に積層状態に戻るので、積層状態が崩れることも無い。
【００３５】
また、図２（Ｃ）は押さえダイスに代えて使用される押さえ装置１５の例を示す横断面図であって、集合体１０に巻き付けられたポリエステル紐等の繊維束からなる紐１５ａとそれを保持する保持リング１５ｂからなり、集合体１０に巻き付けられた紐１５ａによって集合体１０の表面を押さえるものである。
【００３６】
図１には、配列保持用ガイドの実施形態として一例を示したが、配列保持ガイドの実施形態としては、図３、図４の形態のものとすることも出来る。スペーサの同一溝の挿入されるテープ状光ファイバ心線の数が多くなったときには、テープ状光ファイバ心線同志の滑り性の確保等のため配列保持ガイドの通過孔との隙間もそれなりに大きくする必要があるが、隙間が大きいとテープ状光ファイバ心線がその隙間に落ち込んだり、テープ状光ファイバ心線の積層状態が乱れたりすることが起こる。
【００３７】
それを避けるため、テープ状光ファイバ心線の積層枚数が多くなった時には、配列保持ガイドの通過孔を２つに分け、それぞれの通過孔において積層体を形成し、その２つの積層体をスペーサの同一溝に挿入することが望ましい。図３はそのような配列保持ガイドの例を示すものであって、図３（Ａ）は配列保持ガイド１６に中間に仕切り板１６ａを設け、通過孔を１６ｂと１６ｃに分けるもの、図３（Ｂ）は配列保持ガイド１７を２つの配列保持ガイド１７ａと１７ｂとを重ねて２つの通過孔を有する配列保持ガイドとして一体的に使用するもの、の例を示すそれぞれの斜視図である。
【００３８】
また、図４（Ａ）（Ｂ）に示すように、配列保持ガイドの壁面に壁面孔を設けて、テープ状光ファイバ心線に塗布したタルク等の滑剤をその壁面孔から掃出すことによって、配列保持ガイドの通過孔内に滑剤が溜まるのを少なくすることが出来る。図４（Ａ）は配列保持ガイドの斜視図、図４（Ｂ）は配列保持ガイドにテープ状光ファイバ心線を通過させているところを示す横断面図である。この配列保持ガイド１８の場合は、テープ状光ファイバ心線の幅方向の壁面即ち蓋部材１８ｂとコの字型の溝付き部材の底部１８ｃに細長い壁面孔１８ａを設ける。
【００３９】
この壁面孔１８の幅Ｆはテープ状光ファイバ心線の幅Ｗよりも小さいものとし、テープ状光ファイバ心線が壁面孔１８ａから外に飛び出さないようにする。このような壁面孔１８ａを設けることによって、配列保持ガイドの通過孔を通過するテープ状光ファイバ心線に連れて壁面孔１８ａから通過孔内に溜まったタルク等の滑剤が外へ掃出される。また、壁面孔は少なくとも１つの壁面に設けることとし、テープ状光ファイバ心線が飛び出さないように蓋部材又は底部に設けることが望ましい。
【００４０】
【発明の効果】
本発明のテープ状光ファイバ心線集合装置は、ガイドダイスの手前に配列保持用ガイドを設けて、そこで複数のテープ状光ファイバ心線を積層して積層状態を保持しながら、ガイドダイスにてスペーサの溝内にその積層体を導くものであるので、配列保持用ガイドのところで積層体の配列状態は確定し、スペーサの溝内での配列崩れは起こらない。
【００４１】
また、配列保持用ガイドの通過孔の大きさを積層体の高さ及び幅に対して、それぞれ１．１〜１．９倍、１．０５〜１．２０倍としたので、積層体の各テープ状光ファイバ心線相互間の滑りを確保することが可能で、積層状態を保持しながら各テープ状光ファイバ心線の速度をそれぞれわずかに変えることが可能で、スペーサにテープ状光ファイバ心線を収容したときの各テープ状光ファイバ心線の張力を所望の値にすることが出来る。
【００４２】
また、配列保持ガイドに仕切り板を設けるか２つの配列保持ガイドを重ねるかして、通過孔を２つに分けることによって、スペーサの同一溝に挿入されるテープ状光ファイバ心線の数が多くなっても、積層体を適当な大きさにまとめて積層し易いものとすることが出来るので、積層体の積層状態が崩れることはない。また、配列保持ガイドの壁面に壁面孔を設けることによって、そこからタルク等の滑剤を掃出すことが出来るので、配列保持ガイドの通過孔に滑剤が溜まるのを少なくすることが出来る。
【００４３】
また、配列保持用ガイドの材質を四弗化樹脂とすること、ガイドダイスの後にスパイラルセパレータを置いて一度積層したものの各テープ状光ファイバ心線相互間を一時的に少し広げること、配列保持用ガイドの手前にタルク等の滑剤を塗布する滑剤塗布装置を置いてテープ状光ファイバ心線に滑剤を塗布することによって各テープ状光ファイバ心線相互間の滑りを良くすること、によっても、各テープ状光ファイバ心線相互間及び配列保持用ガイドの壁面との摩擦を軽減して、スペーサの溝内へ積層体を収容したときの各テープ状光ファイバ心線の張力を長手方向に均一なものとすることが出来る。
【図面の簡単な説明】
【図１】（Ａ）は本発明のテープ状光ファイバ心線集合装置の実施形態を示す正面図であって、（Ｂ）は配列保持用ガイドの斜視図、（Ｃ）は配列保持用ガイドにテープ状光ファイバ心線の積層体を通したときの横断面図である。
【図２】（Ａ）（Ｂ）はそれぞれ本発明にかかるテープ状光ファイバ心線集合装置の実施形態における配列保持用ガイドの付近を示す正面図であって、（Ｃ）は押さえ装置の一例を示す横断面図である。
【図３】（Ａ）（Ｂ）はそれぞれ配列保持ガイドの他の実施形態を示す斜視図である。
【図４】（Ａ）は配列保持ガイドの他の実施形態を示す斜視図で、（Ｂ）はその配列保持ガイドにテープ状光ファイバ心線を通過させた時の横断面図である。
【図５】スペーサの斜視図である。
【図６】（Ａ）はスペーサを使った光ファイバケーブルの横断面図であって、（Ｂ）はそれに使われるテープ状光ファイバ心線の横断面図である。
【図７】（Ａ）は従来技術によるテープ状光ファイバ心線集合装置の正面図であって、（Ｂ）はそのガイドダイス付近の拡大正面図である。
【図８】（Ａ）（Ｂ）はスパイラルセパレータを使用した集合装置の斜視図及び正面図である。
【符号の説明】
１：テープ状光ファイバ心線
２：リール
３：滑剤塗布装置
４：配列保持用ガイド
４ｃ：通過孔
５：ガイドダイス
６：スペーサ
７：供給リール
８：張力付与装置
９：押さえ装置
１０：テープ状光ファイバ心線が溝に収容されたスペーサ
１１：引取り装置
１２：巻取りリール
１３：押さえダイス
１４：スパイラルセパレータ
１５：押さえ装置
１５ａ：紐
１５ｂ：保持リング
１６、１７、１７ａ、１７ｂ、１８：配列保持ガイド
１６ａ；仕切り板
１６ｂ、１６ｃ：通過孔
１８ａ：壁面孔
１８ｂ：蓋部材
１８ｃ：底部
２０：スペーサ
【図１】
0003577980.tif 000002
【図２】
0003577980.tif 000003
【図３】
0003577980.tif 000004
【図４】
0003577980.tif 000005
【図５】
0003577980.tif 000006
【図６】
0003577980.tif 000007
【図７】
0003577980.tif 000008
【図８】
0003577980.tif 000009